(57)【特許請求の範囲】
【請求項１】
ベーン（３０）を有する回転圧縮機であって、回転ピストン（２０）を含み、該ピストンは、シリンダ（１０）の内面に沿った円形並進運動するように偏心軸（２）によって駆動され、前記シリンダは、前記ベーン（３０）を摺動自在に収容する半径方向スロット（１１）を有し、前記ベーン（３０）の自由端が、湾曲端面を有して、前記ピストン（２０）の横面（２１）の接触部分と永久的に接触し、前記ピストン（２０）の横面（２１）と前記ベーン（３０）の端面とは、前記ピストン（２０）が並進運動する間、該ピストン（２０）がその軸の周りで回転しないように阻止して、前記ベーン（３０）の自由端の周りでのピストン（２０）の揺動を可能にするように、前記ピストン（２０）及び前記ベーン（３０）に作用する係合手段を備えており、該係合手段は、前記ピストン（２０）を前記ベーン（３０）に対して周方向にロックするように、前記ベーン（３０）の端面に設けられた保持凹部（３２）と、該ベーン（３０）の端面に結合されて前記保持凹部（３２）にはめ込まれる、独立したインサート（７０）によって規定される対応突起部とを含んでおり、前記ベーン（３０）は、バネ手段（４０）によって前記ピストン（２０）の横面（２１）の方へ常に偏倚されており、前記インサート（７０）は、前記ピストン（２０）の横面（２１）に対して設置されており、前記インサート及び前記ピストン間に装着されたロック（８０）によって規定される保持手段が、前記インサート（７０）と前記ピストン（２０）との間の相対移動を阻止すべく、該インサート及び該ピストンに同時に作用することを特徴とする圧縮機。
【請求項２】
前記ロック（８０）が、前記ピストン（２０）と前記インサート（７０）とに取り付けられることを特徴とする請求の範囲第１項に記載の圧縮機。
【請求項３】
前記ロック（８０）が鍵形であり、その一部が、前記ピストン（２０）の横面（２１）に設けられた半径方向スロット（２３）に収容され、他の部分が、前記インサート（７０）の隣接端部に設けられたスロット（７３）に収容され、前記各スロット（２３、７３）が、前記ピストン（２０）の軸方向拡張部の少なくとも一部と前記インサート（７０）を占有することを特徴とする請求の範囲第２項に記載の圧縮機。
【発明の詳細な説明】
発明の分野
本発明は、固定ベーンを有する回転圧縮機に関し、詳細には、シリンダ内でピストンが円形並進運動を行う、この種の圧縮機のピストンベーンアセンブリ用の新規構成に関する。
発明の背景
固定ベーンを有する回転密封圧縮機では、バネなどの駆動手段の作用によってローリング・ピストンの外部表面にベーンの頂部が押し付けられたときに頂部がローリング・ピストンの変位に従うので、シリンダ内部で、ローリング・ピストンとシリンダの間とローリング・ピストンと固定ベーンの間の接触線に従って、高圧チャンバまたは吐出チャンバと低圧チャンバまたは吸込みチャンバとが分離する。
やはり、圧縮機ケース内部（システムの高吐出圧力に維持される）とシリンダ内部との高い圧力差は大部分の圧縮サイクル中、より低い圧力に維持されているが、この圧力差により固定ベーンは、ローリング・ピストンの外部表面に押し付けられる。この力の作用と、ベーン頂部の形状のために、ローリング・ピストンと固定ベーンとの間の潤滑が制限され、すなわち、流体くさびの形成と部品間の金属接触の間の中間相がもたらされる。その結果、そのような潤滑が不十分なものになり、部品間に金属接触が発生し、そのため、固定ベーンの頂部とローリング・ピストンの外部接触表面とが磨耗し、その結果、ピストンの直径が変化し、ピストンの有効寿命が短くなり、したがって、圧縮機の信頼性が低下する。
そのような接触によって、減衰させるのが困難な摩擦雑音が発生するだけでなく、圧縮機のエネルギ損失が増大し、したがって、圧縮機の効率が低下する。
さらに、ローリング・ピストンと固定ベーンとの間の接触形状のために、圧縮機の圧縮チャンバと吸込みチャンバとの間で漏れが発生し、前記圧縮機の容積が減少する。
ローリング・ピストンと固定ベーンとの間の磨耗の問題を最小限に抑える周知の解決策は、固定ベーンの製造により耐磨耗性の高い材料を使用するものである。耐久性が高いだけでなく、比重が低く、かつ摩擦係数が小さいという利点を有する複合材料を使用することもできる。それにもかかわらず、特殊な材料を使用して接触部品を構築する解決策、たとえば、ローリング・ピストンに接触するように設計され、より耐磨耗性の高い材料でできているインサートが固定ベーンの自由端に設けられたブラジル特許出願ＰＩ９１０２９０１号に記載された解決策では、材料の費用が高価であるために圧縮機の費用が増大する。
このような解決策では、ベーンおよびローリング・ピストン間の磨耗の問題は軽減されるが、圧縮機の雑音およびエネルギー損失の問題が最小限に抑えられることはない。
発明の開示
したがって、本発明の一般的な目的は、圧縮機のエネルギー効率を失うことなく、回転圧縮機のベーンの頂部とピストンの外部表面の間の金属接触および磨耗を低減させることである。
本発明の他の目的は、圧縮機の通常の動作条件を修正せずに、相互に相対運動する接触部品を構築するために特殊な材料を使用する必要のない、前記で引用した問題に対する解決策を提示することである。
また、本発明の具体的な目的は、前記ベーンの接触表面とピストンの接触表面との間に永久密封油膜が形成されるようにし、それによって、摩擦雑音を低減させるだけでなく、圧縮機の圧縮チャンバと吸込みチャンバとの間の漏れを最小限に抑えるベーンピストン・アセンブリを提供することである。
本発明で使用する回転圧縮機は、偏心軸によって駆動され、シリンダの内部表面に沿って円形並進運動を行うピストンを含むタイプのものであり、固定ベーンを収容する半径方向スロットを有し、固定ベーンの開放端が、ピストンの横面と常に接触する湾曲表面を有し、ピストンの横面の周辺拡張部の少なくとも一部が、ベーンの接触端面の曲率に実質的に等しく、かつ曲率と同心の曲率を有する輪郭を有し、ピストンが、その並進運動時に、シリンダの半径方向スロットを含む直径方向平面の両側部に対して、およびベーンの接触端面の周りで揺動するとき、ピストンがその軸の周りで回転運動しないようにピストンおよび固定ベーンに作用し、曲率を有するピストンの横面の周辺拡張部のある接触部分だけが固定ベーンの接触端面との接触を維持するようにする係合手段が設けられる。
この新規解決策を用いた場合、固定ベーンの接触表面とピストンの接触表面との間に永久油膜が与えられるために、固定ベーンとピストンの外部表面との断続的な金属接触がかなり低減され圧縮機の動作時に接触によって発生する磨耗および雑音が最小限に抑えられ、その結果、圧縮機の効率および信頼性が向上する。
【図面の簡単な説明】
第１図は、本発明で使用されるタイプの固定ベーンを組み込んだ回転密封圧縮機の部分縦断面図である。
第２図は、第１図の線ＩＩ−ＩＩに従ってとった、従来技術によるピストンベーンアセンブリを示す部分断面図である。
第３図は、第２図の部分断面図に類似しているが、本発明によって構築されピストンと共に動作する固定ベーンを示す部分断面図である。
第４図は、本発明の実施例による、固定ベーンとピストンとの間の接触領域の拡大図である。
第５図は、本発明の他の実施例を示す第４図に類似の図である。
第６図は、本発明の他の実施例を示す第４図に類似の図である。
発明の実施の最良の形態
前記で引用した図によれば、回転密封圧縮機は、円筒形ケース１を備え、円筒形ケース内部にシリンダ１０がしっかりと固定され、かつ円筒形ケース内部で、シリンダ１０は、偏心軸２によって駆動され、主軸受３および二次軸受４によって支持されるピストン２０を収容する。
偏心軸２は、電動機のロータ５によって駆動され、電動機のスタータ６は、ケース１の内壁に取り付けられる。
シリンダ１０は、半径方向スロット１１を備え、このスロット内に固定ベーン３０が収容される。固定ベーンは、半径方向摺動スロット１１内部で往復運動する間、バネ４０によって、ピストン２０の横面２１上のベーン自由端３１の永久接触位置に常にバイアスされる。
ケース１の下部は、相互に相対運動する圧縮機の機械構成要素の潤滑に必要な潤滑油の油だめ７として働く。第２図に示したように、固定ベーン３０は、シリンダ１０内部と、ピストン２０の周囲と、主軸受３の内面と二次軸受４の内面の間に、二次軸受４に設けられたオリフィスを通してケースの内部と連通する吐出スロット５１を有する圧縮チャンバ５０と、二次軸受４を通過し吸込みコネクタ６２が接続された（第１図）吸込みオリフィス６１を有する吸込みチャンバ６０を画定する。
従来技術によれば、圧縮機の動作時に、ピストン２０は、シリンダ１０の内面に沿って並進・回転運動を行う。この運動は、シリンダの中心の周りで行われる並進とシリンダ自体の軸の周りでの回転の結果として生じるものとして説明することができ、ピストン２０の回転速度（ＷＲ）は、速度Ｗで回転する偏心軸２によってもたらされる抗力と、ベーン、シリンダ、ピストン２０の横壁との接触によってもたらされる拘束によって決定される。ピストン２０が回転運動する結果、ピストンとベーン自由端３１が摩擦接触し、摩擦のための磨耗とパワー損失が発生する。磨耗は、ピストン２０とベーン自由端３１の間の相対速度（Ｖｔ）のために生じる。摩擦接触は、接触表面の形状と、ピストン２０と固定ベーン３０との間の相対運動の結果である、接触表面間の接線方向接触のために、表面間に油膜を維持するのが困難であるために生じる。
本発明によれば、ベーン自由端３１の湾曲接触表面とピストン２０の横面２１の間の接触面積を増加させ、前述のようなピストンとベーンの間の相対運動をほぼ無くする係合手段をピストン２０と固定ベーン３０との間に設けることによってベーン自由端３１での磨耗を低減させることができる。係合手段によって、ピストン２０と固定ベーン３０との間の相対周方向ロックがもたらされ、そのため、ピストン２０がその軸の周りで回転することが防止されるが、ピストンとベーンとの間の相対運動が可能になり、その結果、ピストン２０が、シリンダ１０の内面に沿って並進変位する。
この解決策では、ピストン２０は、偏心軸２の回転によってもたらされる従来技術のピストンの軸の周りでの回転運動は行わず、偏心軸２の回転によってもたらされ前記で引用した並進運動を生じさせる揺動運動を、シリンダ１０内で固定ベーン３０との係合点の周りで行う。揺動運動は、シリンダ１０の軸に対して横向きに、半径方向スロット２１と固定ベーン３０の両方に共通の直径方向平面の一方の側から他方の側へ行われる。この揺動時に、ピストン２０がシリンダ１０中のベーンスロットに近い位置にあるとき、ピストンの運動は主としてころがり変位である。逆の部分での運動は滑り変位である。
第３図および第４図に示したような本発明を実施する方法では、ピストンベーン係合手段は、ピストン２０の軸方向拡張部に沿って設けられ、輪郭の曲率が保持凹部２２自体の曲率にほぼ等しくかつこの曲率と同心であるベーン自由端３１の少なくとも一部がはめ込まれる保持凹部２２として規定される。この構成では、保持凹部２２は、固定ベーン３０の幅全体を覆うために、曲率がベーン自由端３１の接触端面の凸形状に類似している凹形状を有し、最低でも、ベーン自由端３１の対応する周方向拡張部に等しい周方向拡張部を有する。
図示していないが、ピストン２０の運動時に保持凹部２２とベーン自由端３１との接触領域に油膜を維持できるように、ベーン自由端３１との接触部分が、ベーン自由端３１の形状と同じ形状を有する限り、保持凹部２２は、任意の多角形断面を有することができる。保持凹部２２の周方向拡張部は、その断面とは独立に、ベーン自由端３１の周方向拡張部よりも大型のものとし、それによって、ピストン２０が並進運動する際に揺動運動に作用できるようにし、運動時にピストン２０と固定ベーン３０との間のアセンブリが外れないようにすべきである。
他の可能な実施例のベーン自由端３１は、より複雑な構成を有するが、ピストン２０の横面２１に組み込まれ、あるいは取り付けられたピストン２０の対応する突起部を受容する凹状保持凹部を、自由端自体の長さの一部に備えることができる。この構成は、ピストン２０の軸方向長さに沿って非接線方向の連続接触領域を維持するように設計される。
第３図および第４図に示した実施例では、半径方向スロット１１の直径方向平面の両側に対してピストン２０が揺動運動できるように、保持凹部２２は、ベーン自由端３１の周方向拡張部よりも大きな周方向拡張部を有し、そのため、凹部２２および固定ベーン３０によって規定される両表面の相互接触部分に関して横方向ギャップが生成され、固定ベーン３０とピストン２０とが外れることがなくなる。第５図に示した本発明の他の実施例では、ベーン自由端部は、ブラジル特許出願ＰＩ９１０２９０１号に記載されたようなインサート７０を備える。インサート７０は、この構成では、ピストン２０の横面２１に接触し後述のロッキング手段８０によってこの位置にロックされた凹面７１を有し、さらに、凹状対向面７２を有する。凹状対向面７２の表面は、ベーン自由端３１に設けられ固定ベーン３０の幅および厚さ全体を占有する保持凹部３２の凹状接触端面の曲率に等しい曲率を有する。インサート７０とベーン自由端３１の相互接触表面間に油膜が維持され、そのため、相互に相対運動する部品間の磨耗摩擦がなくなる。この構成では、ピストン２０の周方向ロッキングは、ベーン自由端３１にインサート７０を保持することによって得られる。ピストン２０とインサート７０の間の周方向ロッキングは、ピストン２０に設けられた半径方向スロット２３に収容される端部と、インサート７０の接触面７１に設けられた半径方向スロット２３に収容される対向端部とを有する鍵形のロック８０によって行われ、スロットは、ピストン２０の軸方向拡張部の少なくとも一部およびインサート７０を占有するように設計される。図示しない他の実施例では、ロック８０は、ピストン２０に取り付けられた端部と、ベーン自由端３１に取り付けられた対向端部とを有することができる。第６図に示した本発明の他の実施例では、ピストン２０および固定ベーン３０は、好ましくは円筒形のインサート９０を収容するそれぞれの保持凹部２２、３２を有する。円筒形インサート９０と各保持凹部２２、３２との接触表面の間に油膜が維持され、そのため、吸込みチャンバ５０と吐出チャンバ６０との間の磨耗摩擦およびガス漏れがなくなる。この構成では、インサート９０は、ピストン２０と固定ベーン３０の間の周方向ロッキング要素として働き、ピストン２０がシリンダ１０の内面に沿って並進運動する際、部品が外れないようにする。
提示したどの解決策でも、ベーン自由端との係合点の周りでのピストンの相対揺動運動に関連して、固定ベーン３０とピストン２０の間の接触面積が増加するため、部品間に油膜を維持することができ、そのため、ベーン自由端３１の磨耗とこの磨耗の影響が軽減される。
これらの構成を用いた場合、ピストンがシリンダ１０の内面に沿って並進運動する際、ピストンとの接触を維持するのは、ベーン自由端３１と共に動作するピストン２０の横面２１の周方向拡張部の接触部分だけである。
提示した解決策では、係合手段と、関連するいずれかの部品との間での、固定ベーン３０の長手方向の相対運動は、主軸受３および二次軸受け４によって規定されたシリンダ１０の端壁によってなくなる。
【図１】
0003703482.tif 000002
【図２】
0003703482.tif 000003
【図３】
0003703482.tif 000004
【図４】
0003703482.tif 000005
【図５】
0003703482.tif 000006
【図６】
0003703482.tif 000007